(57)【要約】【課題】携帯用光ディスクドライブ装置で手のひらを大きく開かないと筐体を持って保持することが困難であり長時間保持すると手の疲れが大きいことを改善する。【解決手段】シャーシ６４、光ヘッド６６等を含むドライブを、筐体１の手で掴む面（Ｈ＝Ｄ２で示す寸法の内壁）に対して図のθで示す量だけ傾斜して取り付けることで、筐体１の高さＨを低減できるので指を曲げてしっかりと筐体１を保持することが出来、長時間の使用も可能になる。【選択図】図１
2005141793.tif 000002
【特許請求の範囲】
【請求項１】
光ディスクドライブを備えた記録または／及び再生装置であって、
光ディスクまたは前記光ディスクを内蔵したカートリッジと、
前記光ディスクまたは前記カートリッジに内蔵した光ディスクに記録または／再生するための光ディスクドライブと、
前記光ディスクドライブを内蔵保持する筐体とよりなり、
前記光ディスクドライブは、前記筐体の内壁面と前記光ディスク面が４５度以下の角度をなすように保持されていることを特徴とする光ディスクドライブ装置。
【請求項２】
請求項１に記載の光ディスクドライブ装置であって、前記筐体の内壁面と前記光ディスクのなす角度は、前記筐体の前記光ディスク面と鋭角をなす側の外壁の長さが前記光ディスクの径または前記カートリッジ外壁形状の長さより短くなるように設定したことを特徴とする光ディスクドライブ装置。
【発明の詳細な説明】
【技術分野】
【０００１】
本発明は光ディスクドライブ装置を用いた携帯用機器、特にビデオカメラレコーダーの小型化に関するものである。
【背景技術】
【０００２】
近年ＤＶＤ−ＲＡＭなどを用いた光ディスク（以後「ディスク」と称する）を用いた家庭用レコーダーが普及しつつあり、光ディスクドライブ装置の家庭用機器への応用が広がってきている。そのような光ディスクドライブ装置の一つに、従来テープを用いることの多かったビデオカメラレコーダーでも、テープドライブが光ディスクドライブに置き換えられて市販され普及が始まっている（例えば特許文献１や特許文献２参照）。図５は、前記特許文献１に記載された従来の光ディスクドライブ装置の一つであるビデオカメラレコーダー（以下「ディスクビデオカメラレコーダー」と称する）の外観斜視図である。筐体５５には撮影用レンズ部５３が正面にあり、撮影信号を記録するディスク５１が挿入されている。筐体５５の高さを記号Ｈ、幅を記号Ｗで示している。
【０００３】
使用時には筐体５５を幅広矢印Ｃの方向より手で掴んで保持する形態である。
【０００４】
図６は、ディスクの回転中心のところの断面のＡ矢視図である。ディスク５１はカートリッジ６２に納められている。ドライブ構成は通常のドライブと同様で、簡単な説明に留める。シャーシ６４には、前記カートリッジ６２が保持されるとともに前記ディスク５１がスピンドルモータ（図示せず）に装着される。光ヘッド６６も前記シャーシ６４に可動に取り付けられており、電気回路６８も前記シャーシ６４に取り付けられている。図の右半分の空間には撮影用レンズ部５３とバッテリー７０が配置されている。
【特許文献１】特開平１１−１１２９２３号公報（図２、図５）
【特許文献２】特開２０００−２１１４６号公報（図１）
【発明の開示】
【発明が解決しようとする課題】
【０００５】
次に本発明が解決しようとする課題について述べる。図３は、図５で示したような従来のディスクビデオカメラレコーダーを図５における幅広矢印Ｃの方の側面から手３１で保持している状態を正面から見た図である。普及している具体的なディスク径としては１２ｃｍと８ｃｍが一般的であり、特にここで述べているような手で持って用いるディスクビデオカメラレコーダーのような携帯用機器では、８ｃｍ径のディスク単体、もしくはカートリッジと併用して用いられることが多い。従来例におけるディスクビデオカメラレコーダーの高さＨをＤ１とすると、図６で示したように筐体内の壁に沿ってディスクが配され、またディスクがカートリッジ６２に装着されているのでカートリッジ外形は９ｃｍ程度で、それを用いた場合、Ｄ１＝１０ｃｍ程度になる。
【０００６】
そうすると、小型軽量化のためにディスクの軸方向の薄さを生かして筐体５５の幅Ｗを小さくしたとしても、手のひらを大きく開かないと筐体を持って保持することが困難であり、特に指先に力を入れて保持するので、長時間使用だと手の疲れが大きい、という課題があった。手の開きから考えて持ち易い高さは凡そ８ｃｍ以下と考えられ、現状より低い筐体の高さが求められている。
【０００７】
本発明は、前記従来の課題を解決するもので、ディスク径を小さくすることなく手で筐体を保持しやすいディスクビデオカメラレコーダーを提供することを目的とする。
【課題を解決するための手段】
【０００８】
前記従来の課題を解決するために、本発明の光ディスクドライブ装置は、
光ディスクドライブを備えた記録または／及び再生装置であって、
光ディスクまたは前記光ディスクを内蔵したカートリッジと、
前記光ディスクまたは前記カートリッジに内蔵した光ディスクに記録または／再生するための光ディスクドライブと、
前記光ディスクドライブを内蔵保持する筐体とよりなり、
前記光ディスクドライブは、前記筐体の内壁面と前記光ディスク面が４５度以下の角度をなすように保持する。
【０００９】
本構成によれば、筐体の内壁に対しディスクを傾斜させるように光ディスクドライブ装置を配することで、従来の装置より筐体の高さを低くすることができる。
【発明の効果】
【００１０】
本発明の光ディスクドライブ装置によれば、従来のディスク配置の筐体より筐体の高さを低くすることが出来るため、手で筐体の保持が楽にでき、長時間の使用が可能になる利点が出来る。
【発明を実施するための最良の形態】
【００１１】
以下本発明の実施の形態について、図面を参照しながら説明する。
【００１２】
（実施の形態）
図１は、本発明の実施の形態における光ディスクドライブ装置の筐体内断面図である。
図１において、図５と同じ構成要素については同じ符号を用い、説明を省略する。
【００１３】
図１で、シャーシ６４、光ヘッド６６等を含むドライブを、筐体１の手で掴み保持する面（Ｈ＝Ｄ２で示す寸法の内壁）に対して、図のθで示す量だけ筐体内で傾斜して取り付ける。
【００１４】
そうすることで、凡そ次式
Ｄ２＝Ｄ１ｃｏｓθ                              式１
で示される値程度に筐体１の高さを低減できる。θを４５度以下が望ましく、理由はその値以上だと、高さＨは低くなるが、幅Ｗ'が広くなって両手で保持しなければならなくなるためである。
【００１５】
また、断面が４角形の場合、その中に傾斜してものを配置すると空間の利用率が悪化すると考えられるが、光ディスクドライブ装置の構成部品中、一番体積の大きなドライブを傾斜させるだけで残りの構成部品、例えば電気回路系は構成部品が小さいため、残った空間、例えば図の電気回路６８のようにカートリッジ６２の上面に配置することが出来る。また、撮影用レンズ部５３を左上部の空間に、そして、右下空間にバッテリー７０を配置するように構成部品の配置を工夫することで空間利用率の悪化は防ぐことが出来る。
【００１６】
本発明の実施形態では、図１で示すθ＝約４０度だけ傾斜させている。これを式１から計算すると、従来例でＨ＝Ｄ１＝１０ｃｍ程度であったものが、Ｈ＝Ｄ２＝７．７ｃｍ程度と、大幅に高さを低減でき、ディスク径の８ｃｍよりも小さくすることができる。
【００１７】
図２は、本発明の実施形態における光ディスクドライブ装置でのカートリッジの挿入形態の例を示す図である。シャーシ６４に略沿って筐体１が、撮影用レンズ側筐体１５１とシャーシ側筐体１５２の２つに別れており、前記２つの筐体は、回動中心としてのヒンジ２で結合されている。そして、撮影用レンズ側筐体１５１を開いて図の矢印の方向にカートリッジ６２を挿入しシャーシ６４に装着後、撮影用レンズ側筐体１５１を閉じて使用する準備が出来たことになる。
【００１８】
図４は、本発明の実施形態におけるディスクビデオカメラレコーダーを側面から手３１で保持している状態を正面から見た図である。図１で示すような配置で幅ＷはＷ'で、ドライブが傾斜している分広めになるが、配置の工夫で増加分はわずかに押さえられる。さらに指を曲げてしっかりと筐体１を保持することが可能となる。
【００１９】
かかる構成によれば、シャーシ６４、光ヘッド６６等を含むドライブを、筐体１の手で掴む面（Ｈ＝Ｄ２で示す寸法の内壁）に対して図のθで示す量だけ傾斜して取り付けることで、凡そＤ２＝Ｄ１ｃｏｓθ
で示される値程度に筐体１の高さを低減できるので指を曲げてしっかりと筐体１を保持することが出来、長時間の使用も可能になる。
【産業上の利用可能性】
【００２０】
本発明にかかる光ディスクドライブ装置は、ドライブを筐体に傾斜して取り付けることにより、手で持って使用する装置として手で持つ使用具合を改善することができ、手で持って撮影することの多いビデオカメラレコーダー等として有用である。また、手で持って使用することの多いポータブル型のＭＤやＤＶＤなどのディスクプレーヤーの用途にも応用が可能である。
【００２１】
更に、光ディスクだけではなく、磁気ディスクを用いた携帯用機器にも応用することは容易である。
【図面の簡単な説明】
【００２２】
【図１】本発明の実施の形態における光ディスクドライブ装置の筐体内断面図
【図２】本発明の実施形態における光ディスクドライブ装置でのカートリッジの挿入形態の例を示す図
【図３】従来の光ディスクドライブ装置の側面から手で保持している状態の正面図
【図４】本発明の実施形態における光ディスクドライブ装置を側面から手で保持している状態の正面図
【図５】従来の光ディスクドライブ装置の外観斜視図
【図６】従来の光ディスクドライブ装置でディスクの回転中心のところの断面Ａ矢視図
【符号の説明】
【００２３】
１    本発明の実施形態における筐体
５１    光ディスク
６２    カートリッジ
６４    シャーシ
６６    光ヘッド
５３    撮影用レンズ部
７０    バッテリー
３１    手
【図１】
2005141793.tif 000003
【図２】
2005141793.tif 000004
【図３】
2005141793.tif 000005
【図４】
2005141793.tif 000006
【図５】
2005141793.tif 000007
【図６】
2005141793.tif 000008